(57)【要約】【課題】コネクタをアダプタに挿入した状態でコネクタごとのＩＣタグ内の情報を読取ることができるとともに、既存の配線機器においても後付可能であるような配線管理システム用の機器を提供する。【解決手段】配線管理システムにおけるアンテナモジュール１２０は、配線ケーブルが配線装置１１０に挿入された状態において、配線ケーブルのコネクタに取付けられたＩＣタグ２６０内の情報の少なくとも読取りが非接触で行なえるように構成される。アンテナモジュール１２０は、コネクタが挿入された状態で、ＩＣタグ２６０に対向するように配置された少なくとも１つのアンテナ素子１２２を備える。アンテナ素子１２２の幅は、配線ケーブルの挿入方向に直交する方向のコネクタの長さに対して０％より大きくかつ７０％以下の長さを有する。これによりアンテナモジュール１２０を小型化することができるので、既存の高密度実装された配線装置にも後付けが可能な配線管理システムが実現できる。【選択図】図４
2012044518.tif 000002
【特許請求の範囲】
【請求項１】
配線ケーブルのコネクタが配線装置に挿入された状態において、前記コネクタに取付けられたＩＣタグに対向するように配置されることによって、前記ＩＣタグ内の情報の少なくとも読取りが非接触で行なえるように構成されたアンテナ素子において、
前記アンテナ素子は、前記配線ケーブルの挿入方向に直交する方向の前記コネクタの長さに対して０％より大きくかつ７０％以下の長さを有することを特徴とする、アンテナ素子。
【請求項２】
前記アンテナ素子は、前記配線ケーブルの挿入方向に直交する方向の長さに対して４０〜６０％の範囲内の長さである、請求項１に記載のアンテナ素子。
【請求項３】
前記アンテナ素子における前記配線ケーブルの挿入方向の長さは、前記コネクタが前記配線装置に挿入された状態において、前記コネクタを保護するためのカバー部と前記配線装置との間の距離よりも短く設定される、請求項１または２に記載のアンテナ素子。
【請求項４】
前記アンテナ素子の前記配線ケーブルの挿入方向に直交する方向の長さは約６ｍｍであり、前記アンテナ素子の前記配線ケーブルの挿入方向の長さは約３ｍｍである、請求項１に記載のアンテナ素子。
【請求項５】
請求項１〜４のいずれか１項に記載のアンテナ素子と、
前記配線装置のコネクタ挿入口に隣接して設けられ、前記配線ケーブルの接続状態を管理するための配線管理装置からの信号に応じて、点灯状態を変化するように構成された表示器とを備える、アンテナモジュール。
【請求項６】
前記表示器は、前記表示器に対応する前記コネクタ挿入口が、前記配線ケーブルの挿抜対象のコネクタ挿入口である場合に、前記配線管理装置からの信号に応じて点滅状態にされる、請求項５に記載のアンテナモジュール。
【請求項７】
前記表示器は、前記表示器に対応する前記コネクタ挿入口に挿入された前記コネクタが、挿入されるべきコネクタと合致している場合には点灯状態にされ、挿入されるべきコネクタと合致していない場合には点滅状態にされる、請求項５に記載のアンテナモジュール。
【請求項８】
第１および第２の配線ケーブルを含む複数の配線ケーブルが配線装置に挿入された状態において、前記複数の配線ケーブルの各々に対応するコネクタに取付けられたＩＣタグ内の情報の少なくとも読取りが非接触で行なえるように構成されたアンテナモジュールであって、
第１および第２のアンテナ素子を備え、
前記第１および第２のアンテナ素子の各々は、前記配線ケーブルの挿入方向に直交する方向の前記コネクタの長さに対して０％より大きくかつ７０％以下の長さを有し、
前記第１の配線ケーブルの第１のコネクタおよび前記第２の配線ケーブルの第２のコネクタは、互いに下面が対向するように前記配線装置に挿入され、
前記ＩＣタグは、前記第１および第２のコネクタの各々において、挿入方向に直交する前記コネクタの幅方向の中心から同じ向きにずれた位置の下面に取付けられ、
前記第１および第２のアンテナ素子は、前記第１および第２のコネクタが前記配線装置に挿入された状態において、前記第１および第２のコネクタの前記ＩＣタグにそれぞれ対向するように、前記第１のコネクタと前記第２のコネクタとの間に配置される、アンテナモジュール。
【請求項９】
前記第１および第２のアンテナ素子の各々は、前記配線ケーブルの挿入方向に直交する方向の長さに対して４０〜６０％の範囲内の長さである、請求項８に記載のアンテナモジュール。
【請求項１０】
前記第１および第２のアンテナ素子の各々における前記配線ケーブルの挿入方向の長さは、前記コネクタが前記配線装置に挿入された状態において、前記コネクタを保護するためのカバー部と前記配線装置との間の距離よりも短い、請求項８または９に記載のアンテナモジュール。
【請求項１１】
前記複数の配線ケーブルが挿入される前記配線装置の複数のコネクタ挿入口の各々に対応して設けられ、前記複数の配線ケーブルの接続状態を管理するための配線管理装置からの信号に応じて、点灯状態を変化するように構成された表示器をさらに備える、請求項８に記載のアンテナモジュール。
【請求項１２】
前記表示器は、前記表示器に対応する前記コネクタ挿入口が、前記配線ケーブルの挿抜対象のコネクタ挿入口である場合に、前記配線管理装置からの信号に応じて点滅状態にされる、請求項１１に記載のアンテナモジュール。
【請求項１３】
前記表示器は、前記表示器に対応する前記コネクタ挿入口に挿入された前記コネクタが、挿入されるべきコネクタと合致している場合には点灯状態にされ、挿入されるべきコネクタと合致していない場合には点滅状態にされる、請求項１１に記載のアンテナモジュール。
【請求項１４】
配線ケーブルのコネクタが配線装置に挿入された状態において、前記コネクタに取付けられたＩＣタグ内の情報の少なくとも読取りが非接触で行なえるように構成され、前記ＩＣタグに対向するように配置された少なくとも１つのアンテナ素子と、
前記アンテナ素子で読取られた情報を受信するように構成された受信部とを備え、
前記アンテナ素子は、前記配線ケーブルの挿入方向に直交する方向の前記コネクタの長さに対して０％より大きくかつ７０％以下の長さを有する、配線管理システム用の無線装置。
【請求項１５】
前記配線装置のコネクタ挿入口に隣接して設けられ、前記配線ケーブルの接続状態を管理するための配線管理装置からの信号に応じて、点灯状態を変化するように構成された表示器をさらに備える、請求項１４に記載の配線管理システム用の無線装置。
【請求項１６】
配線ケーブルのコネクタを接続するための配線装置と、
前記コネクタが前記配線装置に挿入された状態において、前記コネクタに取付けられたＩＣタグ内の情報の少なくとも読取りが非接触で行なえるように構成され、前記ＩＣタグに対向するように配置された少なくとも１つのアンテナ素子と、
前記アンテナ素子で読取られた情報を受信するように構成された受信部と、
前記コネクタの前記配線装置への配置データを予め記憶するとともに、前記受信部で読取られた前記コネクタの情報と、前記配置データとに基づいて、前記配線装置への前記コネクタの挿抜作業を支援するための信号を生成するための配線管理装置とを備え、
前記アンテナ素子は、前記配線ケーブルの挿入方向に直交する方向の前記コネクタの長さに対して０％より大きくかつ７０％以下の長さを有する、配線管理システム。
【請求項１７】
前記配線装置は、前記コネクタが挿入されるコネクタ挿入口を含み、
前記配線管理システムは、
前記コネクタ挿入口に対応して設けられた表示器をさらに備え、
前記配線管理装置は、操作者からの前記挿抜作業の指示に基づいて、挿抜対象のコネクタ挿入口に対応する前記表示器の点灯状態を変化させる、請求項１６に記載の配線管理システム。
【請求項１８】
前記配線装置は、前記コネクタが挿入されるコネクタ挿入口を含み、
前記配線管理装置は、操作者から指示された前記コネクタ挿入口に対応する配置データと、前記コネクタ挿入口に挿入されたコネクタのＩＣタグからの情報とに基づいて、前記挿入されたコネクタが前記指示により挿入されるべきコネクタであるか否かを判定する、請求項１６に記載の配線管理システム。
【請求項１９】
前記コネクタ挿入口に対応して設けられた表示器をさらに備え、
前記配線管理装置は、前記挿入されたコネクタが前記挿入されるべきコネクタに合致する場合と、前記挿入されたコネクタが前記挿入されるべきコネクタ合致しない場合とで、前記表示器の点灯状態を異なる状態に変化させる、請求項１８に記載の配線管理システム。
【請求項２０】
前記配線管理装置は、前記挿入されたコネクタが前記挿入されるべきコネクタである場合には前記表示器を点灯させ、前記挿入されたコネクタが前記挿入されるべきコネクタでない場合には前記表示器を点滅させる、請求項１９に記載の配線管理システム。
【請求項２１】
前記配線装置への前記コネクタの配線状態を表示するための表示装置をさらに備える、請求項１６〜２０のいずれか１項に記載の配線管理システム。
【発明の詳細な説明】
【技術分野】
【０００１】
本発明は、アンテナ素子、アンテナモジュール、それを備える配線管理システム用の装置および配線管理システムに関し、より特定的には、配線情報の読取り/書込みに用いられる小型のアンテナを備えた配線管理システムに関する。
【背景技術】
【０００２】
近年、インターネットの拡大により、ローカルエリアネットワーク（ＬＡＮ）や広域ネットワーク（ＷＡＮ）などのネットワークが普及しつつある。これに伴って、ルータやスイッチングＨＵＢなどのネットワーク機器が必要となり、さらにこれらのネットワーク機器間をつなぐための配線ケーブルが多数必要となる。特に大規模なネットワークシステムにおいては、この配線ケーブルの数が膨大となるので、配線ケーブルの追加や接続換えの際の配線間違えを防止することが望まれる。
【０００３】
特開２００４−１６５０８９号公報（特許文献１）は、このような課題に対応するために、アンテナを有するアダプタを備え、このアンテナを用いてアダプタに挿入された配線ケーブルのコネクタに取付けられたメモリ機能部に記憶されたＩＤを非接触で読取ることのできる配線装置を開示する。
【０００４】
特開２００４−１６５０８９号公報（特許文献１）の配線装置によれば、アンテナにより読取られたＩＤ情報をデータ処理・表示装置を用いて処理および表示することによって、配線作業を行なう作業者の作業効率と信頼性を向上させることができる。
【０００５】
また、特開２００７−１８９７７４号公報（特許文献２）は、作業対象のコネクタを挿入するアダプタを選択するための行および列アダプタ選択スイッチと、コネクタに取付けられたＩＣタグの情報を非接触で読取るためのアンテナとが、既存の高密度配線盤に後付けされた配線管理システムにおいて、読取られたＩＣタグの情報とデータベース内に記憶された配線情報とに基づいて、作業者の挿抜作業を支援する構成を開示する。
【先行技術文献】
【特許文献】
【０００６】
【特許文献１】特開２００４−１６５０８９号公報
【特許文献２】特開２００７−１８９７７４号公報
【発明の概要】
【発明が解決しようとする課題】
【０００７】
特開２００７−１８９７７４号公報（特許文献２）の構成では、既存の配線盤に後付けが可能ではあるが、アダプタの選択スイッチおよびアンテナ等を配線盤に取付けることが必要であるので、配線盤にこれらの追加機器を取付けるための余分なスペースが必要となる。しかしながら、ネットワーク機器などの配線装置においては、装置本体のサイズを小型化することが望まれる一方で、１つの装置で多くの回線を取り扱うことがあわせて要求される場合があり、これらの追加機器が取付けられない可能性が生じ得る。
【０００８】
さらに、特開２００７−１８９７７４号公報（特許文献２）の構成では、アダプタの選択は、作業者が選択スイッチを押すことによって行なわれ、またＩＣタグの情報を読取るためのアンテナはアダプタごとには配置されていない構成となっており、作業者による選択スイッチの誤選択やコネクタの誤配線を招くおそれがある。
【０００９】
一方、特開２００４−１６５０８９号公報（特許文献１）の構成においては、アダプタごとにアンテナが設けられており、コネクタをアダプタに挿入することによって自動的にコネクタのＩＤ情報を読取ることができる構成ではあるが、もともとこのような機能を備える配線装置の設計を前提としたものであって、既存の配線装置に後付けできる構成ではなかった。
【００１０】
そのため、コネクタをアダプタに挿入した状態でコネクタごとのＩＣタグ内の情報を読取ることができるとともに、高密度配置された既存の配線機器においても後付可能であるような配線管理システム用の機器が望まれている。
【００１１】
本発明は、このような課題を解決するためになされたものであって、その目的は、コネクタをアダプタに挿入した状態でコネクタごとのＩＣタグ内の情報を読取ることができるとともに、既存の配線機器においても後付可能であるような配線管理システム用の機器を提供することである。
【課題を解決するための手段】
【００１２】
本発明によるアンテナ素子は、配線ケーブルのコネクタが配線装置に挿入された状態において、コネクタに取付けられたＩＣタグに対向するように配置されることによって、ＩＣタグ内の情報の少なくとも読取りが非接触で行なえるように構成される。そして、アンテナ素子は、配線ケーブルの挿入方向に直交する方向のコネクタの長さに対して０％より大きくかつ７０％以下の長さを有することを特徴とする。
【００１３】
好ましくは、アンテナ素子は、配線ケーブルの挿入方向に直交する方向の長さに対して４０〜６０％の範囲内の長さである。
【００１４】
好ましくは、アンテナ素子における配線ケーブルの挿入方向の長さは、コネクタが配線装置に挿入された状態において、コネクタを保護するためのカバー部と配線装置との間の距離よりも短く設定される。
【００１５】
好ましくは、アンテナ素子の配線ケーブルの挿入方向に直交する方向の長さは約６ｍｍであり、アンテナ素子の配線ケーブルの挿入方向の長さは約３ｍｍである。
【００１６】
本発明によるアンテナモジュールは、上記いずれかのアンテナ素子と、配線装置のコネクタ挿入口に隣接して設けられ、配線ケーブルの接続状態を管理するための配線管理装置からの信号に応じて、点灯状態を変化するように構成された表示器とを備える。
【００１７】
好ましくは、表示器は、表示器に対応するコネクタ挿入口が、配線ケーブルの挿抜対象のコネクタ挿入口である場合に、配線管理装置からの信号に応じて点滅状態にされる。
【００１８】
好ましくは、表示器は、表示器に対応するコネクタ挿入口に挿入されたコネクタが、挿入されるべきコネクタと合致している場合には点灯状態にされ、挿入されるべきコネクタと合致していない場合には点滅状態にされる。
【００１９】
本発明によるアンテナモジュールは、第１および第２の配線ケーブルを含む複数の配線ケーブルが配線装置に挿入された状態において、複数の配線ケーブルの各々に対応するコネクタに取付けられたＩＣタグ内の情報の少なくとも読取りが非接触で行なえるように構成され、第１および第２のアンテナ素子を備える。第１および第２のアンテナ素子の各々は、配線ケーブルの挿入方向に直交する方向のコネクタの長さに対して０％より大きくかつ７０％以下の長さを有する。第１の配線ケーブルの第１のコネクタおよび第２の配線ケーブルの第２のコネクタは、互いに下面が対向するように配線装置に挿入される。ＩＣタグは、第１および第２のコネクタの各々において、挿入方向に直交するコネクタの幅方向の中心から同じ向きにずれた位置の下面に取付けられる。第１および第２のアンテナ素子は、第１および第２のコネクタが配線装置に挿入された状態において、第１および第２のコネクタのＩＣタグにそれぞれ対向するように、第１のコネクタと第２のコネクタとの間に配置される。
【００２０】
好ましくは、第１および第２のアンテナ素子の各々は、配線ケーブルの挿入方向に直交する方向の長さに対して４０〜６０％の範囲内の長さである。
【００２１】
好ましくは、第１および第２のアンテナ素子の各々における配線ケーブルの挿入方向の長さは、コネクタが配線装置に挿入された状態において、コネクタを保護するためのカバー部と配線装置との間の距離よりも短い。
【００２２】
好ましくは、アンテナモジュールは、複数の配線ケーブルが挿入される配線装置の複数のコネクタ挿入口の各々に対応して設けられ、複数の配線ケーブルの接続状態を管理するための配線管理装置からの信号に応じて、点灯状態を変化するように構成された表示器をさらに備える。
【００２３】
好ましくは、表示器は、表示器に対応するコネクタ挿入口が配線ケーブルの挿抜対象のコネクタ挿入口である場合に、配線管理装置からの信号に応じて点滅状態にされる。
【００２４】
好ましくは、表示器は、表示器に対応するコネクタ挿入口に挿入されたコネクタが、挿入されるべきコネクタと合致している場合には点灯状態にされ、挿入されるべきコネクタと合致していない場合には点滅状態にされる。
【００２５】
本発明による配線管理システム用の装置は、配線ケーブルのコネクタが配線装置に挿入された状態において、コネクタに取付けられたＩＣタグ内の情報の少なくとも読取りが非接触で行なえるように構成され、ＩＣタグに対向するように配置された少なくとも１つのアンテナ素子と、アンテナ素子で読取られた情報を受信するように構成された受信部とを備える。アンテナ素子は、配線ケーブルの挿入方向に直交する方向のコネクタの長さに対して０％より大きくかつ７０％以下の長さを有する。
【００２６】
好ましくは、配線管理システム用の装置は、配線装置のコネクタ挿入口に隣接して設けられ、配線ケーブルの接続状態を管理するための配線管理装置からの信号に応じて、点灯状態を変化するように構成された表示器をさらに備える。
【００２７】
本発明による配線管理システムは、配線ケーブルのコネクタを接続するための配線装置と、少なくとも１つのアンテナ素子と、受信部と、配線管理装置とを備える。アンテナ素子は、コネクタが配線装置に挿入された状態において、コネクタに取付けられたＩＣタグ内の情報の少なくとも読取りが非接触で行なえるように構成され、ＩＣタグに対向するように配置される。受信部は、アンテナ素子で読取られた情報を受信する。配線管理装置は、コネクタの配線装置への配置データを予め記憶するとともに、受信部で読取られたコネクタの情報と、配置データとに基づいて、配線装置へのコネクタの挿抜作業を支援するための信号を生成する。そして、アンテナ素子は、配線ケーブルの挿入方向に直交する方向のコネクタの長さに対して０％より大きくかつ７０％以下の長さを有する。
【００２８】
好ましくは、配線装置は、コネクタが挿入されるコネクタ挿入口を含む。配線管理システムは、コネクタ挿入口に対応して設けられた表示器をさらに備える。配線管理装置は、操作者からの挿抜作業の指示に基づいて、挿抜対象のコネクタ挿入口に対応する表示器の点灯状態を変化させる。
【００２９】
好ましくは、配線装置は、コネクタが挿入されるコネクタ挿入口を含む。配線管理装置は、操作者から指示されたコネクタ挿入口に対応する配置データと、コネクタ挿入口に挿入されたコネクタのＩＣタグからの情報とに基づいて、挿入されたコネクタが指示により挿入されるべきコネクタであるか否かを判定する。
【００３０】
好ましくは、配線管理システムは、コネクタ挿入口に対応して設けられた表示器をさらに備える。配線管理装置は、挿入されたコネクタが挿入されるべきコネクタに合致する場合と、挿入されたコネクタが挿入されるべきコネクタ合致しない場合とで、表示器の点灯状態を異なる状態に変化させる。
【００３１】
好ましくは、配線管理装置は、挿入されたコネクタが挿入されるべきコネクタである場合には表示器を点灯させ、挿入されたコネクタが挿入されるべきコネクタでない場合には表示器を点滅させる。
【００３２】
好ましくは、配線管理システムは、配線装置へのコネクタの配線状態を表示するための表示装置をさらに備える。
【発明の効果】
【００３３】
本発明によれば、配線管理システム用の機器について、コネクタをアダプタに挿入した状態でコネクタごとのＩＣタグ内の情報を読取ることができるとともに、既存の配線機器においても後付可能であるような構成とすることができる。
【図面の簡単な説明】
【００３４】
【図１】本実施の形態に従う配線管理システムの概略図である。
【図２】配線管理システムに用いられる配線装置を説明するための図である。
【図３】配線コネクタの例を説明するための図である。
【図４】配線コネクタのアダプタと、ＩＣタグおよびアンテナの配置の例を示す図である。
【図５】本実施の形態における、アンテナモジュールの配置を説明するための図である。
【図６】アンテナモジュールの配置の比較例を説明するための図である。
【図７】本実施の形態におけるアンテナ部の構成の例を示す図である。
【図８】配線コネクタのアダプタと、ＩＣタグおよびアンテナの配置の他の例を示す図である。
【図９】アンテナ部および受信部の構成についての第１の例を示す図である。
【図１０】アンテナ部および受信部の構成についての第２の例を示す図である。
【図１１】配線管理装置の構成を説明するための機能ブロック図である。
【図１２】コネクタ挿入作業の場合の、配線管理システムで実行される支援制御処理の詳細を説明するためのフローチャートである。
【図１３】コネクタ引抜作業の場合の、配線管理システムで実行される支援制御処理の詳細を説明するためのフローチャートである。
【発明を実施するための形態】
【００３５】
以下、本発明の実施の形態について、図面を参照しながら詳細に説明する。なお、図中同一または相当部分には同一符号を付してその説明は繰り返さない。
【００３６】
図１は、本実施の形態に従う配線管理システム１００の概略図である。
図１を参照して、配線管理システム１００は、配線装置１１０−１〜１１０−Ｎ（Ｎは１より大きい整数）と、配線管理装置３００とを備える。なお、本実施の形態においては、配線装置に接続される配線ケーブルがＬＡＮケーブルの場合を例として説明するが、配線ケーブルとして光ケーブルが用いられる光通信用の配線機器であってもよい。さらに、配線ケーブルは信号を伝達する場合に限られず、たとえば電源を供給するための電源線であってもよい。
【００３７】
配線装置１１０−１〜１１０−Ｎは、たとえばスイッチングＨＵＢやネットワークルータなどの、配線ケーブル２００が接続される装置である。
【００３８】
配線装置１１０−１〜１１０Ｎには、配線ケーブル２００が接続される挿入口（アダプタ）１４０−１〜１４０−Ｎがそれぞれ設けられる。図１においては、アダプタ１４０−１〜１４０Ｎはそれぞれ複数のアダプタで構成されているが、アダプタは１つの場合であってもよい。
【００３９】
配線装置１１０−１〜１１０−Ｎには、アダプタ１４０−１〜１４０−Ｎにそれぞれ隣接してアンテナモジュール１２０−１〜１２０−Ｎが設置される。アンテナモジュール１２０−１〜１２０−Ｎは、アダプタに接続された配線ケーブル２００のコネクタに設置されたＲＦＩＤ（Radio Frequency IDentification）タグ（以下、「ＩＣタグ」とも称する。）に記憶された各コネクタのＩＤ情報に関する信号を読取り、読取った信号を、接続線１５０−１〜１５０−Ｎを介して受信部１３０−１〜１３０−Ｎにそれぞれ伝達する。なお、ＩＣタグに記憶された情報には、コネクタのＩＤ情報だけでなくその他の管理情報が含まれる場合があるが、以降の説明においては、これらその他の管理情報も含めてＩＤ情報と称することとする。
【００４０】
受信部１３０−１〜１３０−Ｎは、接続ケーブル１７０を介して配線管理装置３００に接続される。受信部１３０−１〜１３０−Ｎは、アンテナモジュール１２０−１〜１２０−Ｎからそれぞれ受信したＩＤ情報に関する信号を復調してＩＤ情報を読出し、そのＩＤ情報を配線管理装置３００に送信する。
【００４１】
配線管理装置３００は、表示部３１０と、操作部３２０とを含む。
配線管理装置３００の詳細な機能については、図１１〜図１３において後述するが、機能の概要は、予め記憶された配線装置の各アダプタに接続されるべきコネクタの配置情報と、実際のアダプタに接続されたコネクタのＩＣタグから読み出されたＩＤ情報とに基づいて、配線ケーブルの接続状態の管理および配線装置への配線ケーブルの挿抜作業の支援を行なうことである。
【００４２】
配線管理装置３００は、たとえばパーソナルコンピュータを含んで構成され、図１には図示しないが、上述の配置情報を記憶したり、受信部１３０−１〜１３０−Ｎから受信したコネクタのＩＤ情報を処理したりするための制御部をさらに含む。
【００４３】
なお、図１においては、配線装置が複数設けられる場合を例として示すが、配線装置が１つの場合であってもよい。以降の説明においては、説明を容易にするために、配線装置１１０−１〜１１０Ｎ、アンテナモジュール１２０−１〜１２０−Ｎ、受信部１３０−１〜１３０−Ｎ、アダプタ１４０−１〜１４０Ｎおよび接続線１５０−１〜１５０−Ｎをそれぞれ総称して配線装置１１０、アンテナモジュール１２０、受信部１３０、アダプタ１４０および接続線１５０と称する。
【００４４】
図２は、本実施の形態に従う配線管理システム１００に用いられる配線装置１１０を説明するための図である。図２は配線装置１１０の正面図を示す。
【００４５】
図２を参照して、配線装置１１０は、配線ケーブルのコネクタを挿入するための複数のアダプタ１４０を含む。配線装置１１０を小型化しつつ多くの配線ケーブルの接続が可能となるように、アダプタ１４０は、たとえば上下２列に、配線装置１１０の横方向に互いに隣接して高密度に配列される。
【００４６】
アンテナモジュール１２０および受信部１３０は、配線装置の製造段階から配線装置に内蔵される構成としてもよいが、図２に示す実施の形態においては、配線装置１１０の前面パネルに後付けされる。このように後付けが可能な構造とすることによって、このようなアンテナモジュール１２０および受信部１３０を備えていない既存の配線装置についても、本実施の形態の配線管理システムを適用することが可能となる。
【００４７】
アンテナモジュール１２０は、配線ケーブルのコネクタに取付けられたＩＣタグに記憶された情報を読取るために、上側のアダプタの列と下側アダプタの列との間に配置される。
【００４８】
受信部１３０は、接続線１５０を介してアンテナモジュール１２０と接続される。受信部１３０は、配線装置１１０の前面パネルにおいて、接続される配線ケーブルと干渉しない部分に配置される。なお、受信部１３０の設置位置については、配線装置１１０の前面パネルには限定されず、配線装置１１０の上面、下面、側面または背面であってもよいし、あるいは、たとえば複数の受信部１３０を別個の筐体内に収納するような構成としてもよいが、特に図２のように後付けで配線装置１１０に設置する場合には、できるだけアンテナモジュール１２０に近接して配置するほうが、接続線１５０を短くできるので好適である。
【００４９】
図３は、配線装置１１０のアダプタ１４０に接続される配線ケーブル２００のコネクタ部分を説明するための図である。
【００５０】
図２および図３を参照して、配線ケーブル２００は、ケーブル部２３０の両端に、コネクタ２１０が設けられる。図３においては、説明を容易とするために、コネクタ２１０の下面が上向きとなるように図示されている。
【００５１】
コネクタ２１０の下面には、接点部２５０が設けられる。接点部２５０は、コネクタ２１０の内部において、ケーブル部２３０に含まれる通信線に接続される。接点部２５０は、コネクタ２１０がアダプタ１４０に挿入されたときに、配線装置１１０の接点と接触して信号を伝達する。また、コネクタ２１０の上面には、コネクタ２１０がアダプタ１４０から脱落してしまうことを防止するための爪部２２０を有する。
【００５２】
爪部２２０は、コネクタ２１０がアダプタ１４０に挿入されると、アダプタ１４０の凹部と係合し、コネクタ２１０がロックされる。コネクタ２１０をアダプタから取り外す時には、爪部２２０を下面側に押し下げて爪部２２０と凹部の係合を解除することによって、コネクタ２１０をアダプタ１４０から引抜くことが可能になる。
【００５３】
また、配線ケーブル２００には、ケーブル部２３０に沿って移動可能であり、かつコネクタ２１０を保護するためのカバー部２４０が設けられる。カバー部２４０は、コネクタ２１０がアダプタ１４０に挿入された後に、コネクタ２１０を覆うように配置され、コネクタ２１０とケーブル部２３０との境界部の屈曲や、爪部２２０の誤操作によるコネクタ２１０の意図しない脱落を防止する。
【００５４】
コネクタ２１０の下面には、コネクタ２１０のＩＤ情報が予め記憶されたＩＣタグ２６０が取付けられる。ＩＣタグ２６０に記憶されたＩＤ情報としては、たとえば、当該配線ケーブル２００に付された配線番号や、接続されるべき配線装置の番号などが含まれる。
【００５５】
ＩＣタグ２６０の大きさとしては、コネクタ２１０の幅、すなわち配線ケーブル２００のアダプタ１４０への挿入方向（図３中のＹ方向）に対して直交する方向（図３中のＸ方向）の長さよりも小さいものが採用される。さらに、コネクタ２１０の幅の１／２よりも小さいものがより好適である。そして、ＩＣタグ２６０は、コネクタ２１０の幅方向の中央から、幅方向のいずれか定められた向きにずらして配置される。図３の例では、ＩＣタグは、コネクタ２１０の挿入方向（Ｙ方向）に対して右側の辺に沿うように配置されている。
【００５６】
このような配置とすることにより、図２のアダプタ１４０およびアンテナモジュール１２０の一部を拡大して示した図４のように、上下に配置されたアダプタ１４０にコネクタ２１０が挿入された場合に、上側コネクタのＩＣタグと下側コネクタのＩＣタグとが上下方向に重なり合わないようにできるので、コネクタ２１０のＩＤ情報の誤った読取りを防止することができる。
【００５７】
次に図４を参照して、上述のように、アンテナモジュール１２０は、上部アダプタと下部アダプタとの間に設置される。アンテナモジュール１２０は、アンテナ素子１２２およびＬＥＤ（Light Emitting Diode）１２３を含むアンテナ部１２１を含む。アンテナ部１２１は、各アダプタに対応して設けられ、コネクタ２１０がアダプタ１４０に挿入された場合に、ＩＣタグ２６０に対向する位置に配置される。すなわち、本実施の形態のようなアダプタ配置においては、各アンテナ部は、アンテナモジュール１２０の長手方向に沿ってジグザグ状に配置される。
【００５８】
アンテナ素子１２２は、たとえばコイル状に形成されたループアンテナであり、電磁誘導を利用してＩＣタグ２６０に記憶されたＩＤ情報に関する信号を受信する。上述のように、ＩＣタグ２６０が上下方向に重なり合わないように配置されるため、それに対向して配置されるアンテナ素子１２２についても、上下方向の重なり合いが少なくなるようにすることができる。これによって、一方（たとえば上側）のアンテナ素子によって他方（たとえば下側）のＩＣタグの情報を誤って読取られることが防止できる。
【００５９】
また、一方のアンテナ素子のサイズを小さくしてＩＣタグと同程度のサイズとしているので、各アンテナ素子に電磁場を発生させるための電力を小さくすることができる。このことは、アンテナ素子を駆動するための駆動回路（図示せず）を小型化することを容易にする。さらに、電力を小さくするこによって発生する電磁場の範囲および大きさが低減されるので、発生電磁場に起因する周囲機器への影響の可能性も低減できる。なお、アンテナ素子１２２は、ＩＣタグ２６０からのＩＤ情報を読取る場合に加えて、ＩＣタグ２６０内の情報を書き換える場合にも用いられてもよい。
【００６０】
ＬＥＤ１２３は、配線管理装置３００（図１）からの制御信号に基づいて駆動される。ＬＥＤ１２３は、配線ケーブル２００の挿抜作業時に、作業者に対して、作業対象のアダプタ１４０／コネクタ２１０であることを表示したり、挿入あるいは取り外されたコネクタ２１０が挿抜されるべきコネクタであるか否かの判定結果を表示したりするために用いられる。
【００６１】
本実施の形態のように配線ケーブル２００としてＬＡＮケーブルが用いられる例においては、規格によって、コネクタ２１０の幅はおよそ１４ｍｍとされる。そのため、アンテナ素子１２２のコネクタ２１０の幅方向の長さは約６ｍｍ以下とすることが好ましい。また、本実施の形態における配線装置１１０の例においては、上側のアダプタと下側のアダプタとの間は約３ｍｍであり、アンテナモジュール１２０の幅は、上述のように既存の配線装置への後付けが可能なように、３ｍｍ以下とすることが好ましい。なお、アンテナモジュール１２０およびアンテナ素子１２１の寸法は、取付けられる配線装置に応じて適宜選択される。アンテナ素子１２１は、コネクタ２１０の幅方向の長さに対して０％より大きく７０％以下の範囲となるように設計される。また、より好適な例では、アンテナ素子１２１は、コネクタ２１０の幅方向の長さに対して４０％〜６０％の範囲となるように設計される。
【００６２】
図５は、本実施の形態における、アンテナモジュール１２０の配置を説明するための図であり、配線装置１１０の上側および下側のアダプタの両方に配線ケーブルが挿入された状態において配線装置１１０を側面から見た図を示す。
【００６３】
図５を参照して、上側のコネクタと下側のコネクタとは、互いに下面が向き合うように、すなわち接点部２５０が互いに向き合うようにアダプタに挿入される。
【００６４】
そして、それぞれのカバー部２４０が、コネクタを保護するために設置される。このとき、カバー部２４０の配線装置１１０側の端面と配線装置１１０との間の隙間は短く、本実施の形態においては、たとえば約３ｍｍである。そのため、アンテナモジュール１２０を既存の配線装置に後付けで設置するためには、当該隙間に設置できる寸法とすることが好ましく、本実施の形態においては、アンテナモジュール１２０のコネクタ挿入方向の長さはたとえば３ｍｍとなるように設計される。また、コネクタ２１０に取付けられるＩＣタグ２６０についても、この隙間に入るような大きさとすることが必要である。
【００６５】
なお、図６に、コネクタ２１０の上面、すなわち爪部２２０のある側にＩＣタグ２６０Ａを取付けた場合の比較例を示す。この場合は、図５の場合と比べてＩＣタグおよびアンテナモジュールについて、取付けのための寸法の制限は緩和される。しかしながら、爪部２２０との干渉を防ぐために、アンテナ部１２１Ａは配線装置１１０の表面からより遠くへ突出させることが必要となる。そして、このような構成とすると、カバー部２４０とアンテナ部１２１Ａとの干渉が生じる可能性があり、さらには、コネクタ２１０の引抜時の爪部２２０の操作が困難となる可能性がある。また、アンテナ部１２１ＡとＩＣタグ２６０Ａとの距離が図５に比べて大きくなるので、ＩＣタグの読取り／書込みのための電磁場を発生する電力も相対的に大きくすることが必要となり、周囲機器への影響を及ぼす可能性がある。そのため、配線ケーブルの各部との干渉や挿抜作業時の操作の妨害を防止し、かつより小さい電力での読取り／書込みをすることができるように、図５のように小型化されたアンテナモジュールを上下コネクタの間に配置する構成とすることが好適である。
【００６６】
図７は、アンテナモジュール１２０内に設けられるアンテナ部１２１の構成の例を示す図である。
【００６７】
図７を参照して、アンテナ部１２１は、アンテナ素子１２２と、ＬＥＤ１２３と、駆動回路１２４とを含む。なお、駆動回路１２４は、図２の受信部１３０内に設けられる構成であってもよい。
【００６８】
アンテナ素子１２２は、銅線をコイル状に巻回したものとしてもよいが、図７のように予めプリントパターンとして基板上に形成すると、アンテナ部１２１をより薄型化できるので好適である。
【００６９】
駆動回路１２４は、アンテナ素子１２２で受信したコネクタのＩＤ情報に関する信号を受信部１３０へ伝達するとともに、配線管理装置３００からの信号に従ってＬＥＤ１２３の点灯状態を変化させる。
【００７０】
駆動回路１２４は、受信部１３０と信号の授受を行なうが、図９で後述するように、アンテナモジュール１２０内に設けられたチャンネル切換部を介して受信部１３０へ接続される。また、チャンネル切換機能を駆動回路１２４に内蔵することによって、図１０で後述するように、アンテナモジュール１２０内の複数のアンテナ部１２１をバス接続することができる。これによって、アンテナモジュール内の配線数を減少できるので、アンテナモジュール１２０の小型化がさらに容易となる。
【００７１】
なお、図７においては、アンテナ部１２１にＬＥＤ１２３が含まれる構成の例を説明したが、ＬＥＤ１２３は必ずしもアンテナ素子１２２が含まれるアンテナ部１２１に含まれる必要はない。図８にアンテナモジュールのその他の構成の例を示すが、図８のように、ＬＥＤ１２３が、アンテナ素子１２２が含まれるアンテナモジュール１２０Ａとは分離して配置される構成としてもよい。図８においては、ＬＥＤ１２３はＬＥＤモジュール１２０Ｂに含まれ、このＬＥＤモジュール１２０Ｂは、アダプタ１４０の爪部側に配置される。
【００７２】
次に図９〜図１１を用いて、アンテナモジュール１２０、受信部１３０および配線管理装置３００の構成の詳細を説明する。
【００７３】
図９は、アンテナモジュール１２０内のアンテナ部１２１および受信部１３０の構成の詳細を説明するための機能ブロック図ある。図９における各機能ブロックについては、ハードウェア的またはソフトウェア的な処理によって実現される。
【００７４】
図１および図９を参照して、受信部１３０は、通信部１３１と、信号出力部１３２と、ＬＥＤ駆動部１３３と、復調部１３４と、バッファ１３５とを含む。
【００７５】
通信部１３１は、図１で説明したように接続ケーブル１７０によって配線管理装置３００と接続され、配線管理装置３００と信号の授受を行なう。通信部１３１は、配線管理装置３００から受信した信号を信号出力部１３２およびＬＥＤ駆動部１３３へ出力する。また、通信部１３１は、配線ケーブル２００のコネクタのＩＤ情報を復調部１３４から受け、その受信情報を配線管理装置３００へ送信する。
【００７６】
信号出力部１３２は、通信部１３１を介して受信した配線管理装置３００からの信号に基づいて、どのコネクタについてのＩＤ情報を読み出すかを示す選択信号を、アンテナモジュール１２０のチャンネル切換部１２９に出力する。具体的には、後述する配線作業の支援制御においては、作業者によって入力されたアダプタに接続されているコネクタのＩＤ情報を読み出すような信号を出力する。それに加えて、配線管理装置３００において接続状態を表示するのために、所定時間毎にすべてのアダプタについての状態（すなわち、接続されたコネクタのＩＤ情報）を逐次読み出すような周期的な信号を出力する。この場合、ＩＤ情報が読み出せない場合にはコネクタが接続されていないと判定される。
【００７７】
ＬＥＤ駆動部１３３は、通信部１３１を介して受信した配線管理装置３００からの信号に基づいて、アンテナモジュール１２０内の指定されたアダプタに対応するＬＥＤの点灯状態を変化させる。
【００７８】
復調部１３４は、アンテナモジュール１２０からコネクタのＩＤ情報に関する信号を含んだ信号を受ける。復調部１３４は、受信した信号を復調，解析して、コネクタのＩＤ情報を識別する。復調部１３４は、識別されたＩＤ情報を、必要に応じて一時的にバッファ１３５に記憶するとともに、そのＩＤ情報を通信部１３１に出力する。
【００７９】
アンテナモジュール１２０は、アンテナ部１２１に加えてチャンネル切換部１２９をさらに含む。
【００８０】
チャンネル切換部１２９は、信号出力部１３２からの選択信号を受ける。チャンネル切換部１２９は、この選択信号で指示されたアンテナ部からのＩＤ情報を読取る。また、チャンネル切換部１２９は、ＬＥＤ駆動部１３３からの駆動信号を受け、その駆動信号に従って、対応するアンテナ部１２１内のＬＥＤ１２３の点灯状態を変化させる。
【００８１】
アンテナ部１２１は、アンテナ素子１２２およびＬＥＤ１２３に加えて、マッチング回路１２６と、出力アンプ１２７と、受信アンプ１２８とを含む。
【００８２】
アンテナ素子１２２は、等価的には、図９のように並列に接続されたコイルとキャパシタとを含んで構成される。アンテナ素子１２２は、回路に供給される電力によって電磁波を発生し、電磁誘導によってＩＣタグに電力を供給する。ＩＣタグは、アンテナ素子１２２から供給された電力を用いて、電磁波に重畳させたコマンド信号を解析し、それに応答して予め電磁波を介して記憶されているＩＤ情報をアンテナ素子１２２へ出力する。アンテナ素子１２２は、ＩＣタグからのＩＤ情報が重畳された信号を受信する。
【００８３】
マッチング回路１２６は、アンテナ素子１２２と、出力アンプ１２７、受信アンプ１２８およびチャンネル切換部１２９を含む駆動回路との間のインピーダンスをマッチングさせるための回路である。
【００８４】
出力アンプ１２７は、チャンネル切換部１２９からの信号を増幅して、マッチング回路１２６を介して、アンテナ素子１２２へ出力する。
【００８５】
受信アンプ１２８は、アンテナ素子１２２からマッチング回路１２６を介して受信した信号を増幅して、チャンネル切換部１２９へ出力する。なお、受信アンプ１２８は、チャンネル切換部１２９に含まれる構成としてもよい。
【００８６】
なお、図４において述べたように、アンテナ部を小型化することによって、アンテナ素子を駆動するための電力を低減することができるので、図９における出力アンプ１２７を省略する構成とすることが可能である場合がある。また、マッチング回路内のインダクタをアンテナ素子のコイルと共用することによって、マッチング回路１２６内のコイルを省略してもよい。
【００８７】
図１０は、このようにして簡略化されたアンテナ部１２１Ｂを含むアンテナモジュール１２０の回路の例を示す。図１０のアンテナ部１２１Ｂにおいては、図９のマッチング回路１２６のコイルおよび出力アンプ１２７が省略された構成となっている。また、アンテナ部１２１Ｂが、チャンネル切換部１２９を含む構成とすることによって、各アンテナ部をバス接続することができ、アンテナモジュール１２０内の配線を減少させることができる。このようにして、アンテナ部をさらに小型化することにより、アンテナモジュールを、既存の配線装置における限られたスペースに取付けることを可能にできる。
【００８８】
図１１は、本実施の形態の配線管理装置３００の構成を説明するための機能ブロック図である。配線管理装置３００は、図１で示した表示部３１０および操作部３２０に加えて、制御部３３０を含む。また、制御部３３０は、通信部３３１と、ＬＥＤ制御部３３２と、データベース３３３と、判定部３３４と、表示制御部３３５とを含む。
【００８９】
図１および図１１を参照して、通信部３３１は、図１で説明したように接続ケーブル１７０によって各受信部１３０と接続され、受信部１３０との間で信号の授受を行なう。通信部３３１は、ＬＥＤ制御部３３２からのＬＥＤの表示指令を受け、その表示指令を受信部１３０に送信する。また、通信部３３１は、受信部１３０からのコネクタのＩＤ情報を受信し、受信したＩＤ情報を判定部３３４へ出力する。
【００９０】
ＬＥＤ制御部３３２は、配線作業を行なう場合に、作業者によって操作部３２０から入力された作業対象のアダプタ１４０の位置情報を受ける。ＬＥＤ制御部３３２は、入力された位置情報と、データベース３３３に予め記憶された配置データとを照合する。そして、ＬＥＤ制御部３３２は、作業者に対して作業位置をガイダンスするために、作業対象のアダプタ１４０に対応するＬＥＤの点灯状態を変化させるための表示指令を生成して通信部３３１へ出力する。
【００９１】
また、ＬＥＤ制御部３３２は、判定部３３４からの、コネクタの接続状態の判定結果を示す判定信号を受ける。そして、ＬＥＤ制御部３３２は、その判定信号に従って、実行された配線作業が正しいか否かを作業者へ通知するために、ＬＥＤの点灯状態を変化させるための表示指令を生成する。
【００９２】
判定部３３４は、受信したコネクタのＩＤ情報を通信部３３１から受ける。判定部３３４は、このＩＤ情報とデータベース３３３内の配置データとを比較し、コネクタ２１０が、予め定められた配置データ通りに配線装置１１０に接続されているか否かを判定する。そして、その判定結果を示す判定信号をＬＥＤ制御部３３２および表示制御部３３５へ出力する。
【００９３】
表示制御部３３５は、判定部３３４からの判定信号に基づいて表示信号を生成し、表示部３１０にコネクタの接続状態および配線作業の良否を表示する。
【００９４】
次に、図１２および図１３のフローチャートを用いて、本実施の形態に従う配線管理システムで実行される配線ケーブルの挿抜作業の支援制御を説明する。図１２はコネクタを配線装置に挿入する場合のフローチャートを示し、図１３はコネクタを配線装置から引抜く場合のフローチャートを示す。
【００９５】
図１および図１２を参照して、まずコネクタの挿入作業の場合について説明する。
ステップ（以下、ステップをＳと略す。）１００において、作業者は、配線管理装置３００の操作部３２０から、挿入しようとしているコネクタ２１０が挿入されるべきアダプタ１４０の位置データを入力する。
【００９６】
Ｓ１１０にて、配線管理装置３００は、入力された位置データに基づいて、コネクタ２１０が挿入されるべきアダプタに対応するＬＥＤを点滅させて、作業者に作業対象位置のガイダンスを行なう。
【００９７】
そして、Ｓ１２０にて、作業者は、ＬＥＤのガイダンス表示に従って実際のコネクタ２１０の挿入作業を実行する。
【００９８】
コネクタ２１０が挿入されると、配線管理装置３００は、Ｓ１３０にて、新規で挿入されたコネクタ２１０に取付けられたＩＣタグ２６０から、コネクタのＩＤ情報を取得する。
【００９９】
Ｓ１４０にて、配線管理装置３００は、取得したＩＤ情報が配線管理装置３００に予め記憶されているデータと一致するか否かを判定する。すなわち、コネクタが正しいアダプタに挿入されているか否か（すなわち、間違ったアダプタに挿入されていないか）、および、正しいアダプタに挿入されたコネクタが正しいコネクタであるか否か（すなわち、間違ったコネクタが挿入されていないか）を判定する。
【０１００】
データが一致する場合（Ｓ１４０にてＹＥＳ）は、配線管理装置３００は、正しいアダプタに正しいコネクタが挿入されていると判断し、Ｓ１５０が進められて、配線管理装置３００は、ＬＥＤを点滅状態から点灯状態にする。その後、処理がＳ１６０に進められる。
【０１０１】
一方、データが一致しない場合（Ｓ１４０にてＮＯ）は、配線管理装置３００は、コネクタが正しいアダプタに挿入されていない、または間違ったコネクタがアダプタに挿入されていると判断し、処理をＳ１５５に進めて、作業対象位置のアダプタに対応するＬＥＤを点滅状態とする（すなわち、点滅状態を継続する）。また、間違ったアダプタにコネクタが挿入されている場合には、コネクタが挿入されている間違ったアダプタのＬＥＤもあわせて点滅状態にされる。その後、処理がＳ１６０に進められる。
【０１０２】
Ｓ１６０においては、配線管理装置３００は、表示部３１０にコネクタの接続状態、および誤配線の場合にはその旨を作業者に通知するためのアラームを表示する。
【０１０３】
次に、図１および図１３を参照して、コネクタの引抜作業の場合について説明する。
Ｓ２００にて、作業者は、配線管理装置３００の操作部３２０から、引抜対象のコネクタ２１０が挿入されているアダプタ１４０の位置データを入力する。
【０１０４】
Ｓ２１０にて、配線管理装置３００は、入力された位置データに基づいて、引抜対象のコネクタ２１０が挿入されているアダプタに対応するＬＥＤを点滅させて、作業者に作業対象位置のガイダンスを行なう。
【０１０５】
そして、Ｓ２２０にて、作業者は、ＬＥＤのガイダンス表示に従って実際のコネクタ２１０の引抜作業を実行する。
【０１０６】
Ｓ２３０にて、配線管理装置３００は、引抜かれたコネクタから取得されていたＩＤ情報が、配線管理装置３００に予め記憶されている引抜対象コネクタのデータと一致するか否かを判定する。
【０１０７】
データが一致する場合（Ｓ２３０にてＹＥＳ）は、配線管理装置３００は、正しいコネクタが引抜かれたと判断し、Ｓ２４０に処理を進めて、引抜対象であったアダプタに対応するＬＥＤを消灯させる。その後、処理がＳ２５０に進められる。
【０１０８】
データが一致しない場合（Ｓ２３０にてＮＯ）は、配線管理装置３００は、間違ったコネクタが引抜かれたと判断し、引抜対象であるアダプタに対応するＬＥＤを点滅状態に保持するとともに、間違ってコネクタが引抜かれたアダプタに対応するＬＥＤを点滅状態とする。その後、処理がＳ２５０に進められる。
【０１０９】
Ｓ２５０においては、配線管理装置３００は、表示部３１０にコネクタの接続状態、および誤配線の場合にはその旨を作業者に通知するためのアラームを表示する。
【０１１０】
なお、コネクタが挿入されるべきでないアダプタに、コネクタが挿入されていない状態（正常状態）の場合には、当該アダプタに対応するＬＥＤは消灯状態にされる。
【０１１１】
このような処理に従って制御を行なうことによって、コネクタの挿抜作業時において、作業者に対して作業位置の視覚的な指示、および誤配線時の注意喚起をすることができるので、正確かつ迅速な配線作業を行なうことができる。
【０１１２】
なお、図１２および図１３においては、ＬＥＤを点灯／点滅／消灯の各状態でガイダンスおよび誤配線の通知を行なったが、これに代えてまたはこれに加えて、ＬＥＤの色を変化させることによって作業者への通知を行なうようにしてもよい。また、視覚的な通知に加えて、ブザーやチャイム、ボイスアラームなどの聴覚的な通知を行なうようにしてもよい。
【０１１３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１４】
１００  配線管理システム、１１０，１１０−１〜１１０−Ｎ  配線装置、１２０，１２０Ａ，１２０−１〜１２０−Ｎ  アンテナモジュール、１２０Ｂ  ＬＥＤモジュール、１２１，１２１Ａ，１２１Ｂ  アンテナ部、１２２  アンテナ素子、１２３  ＬＥＤ、１２４  駆動回路、１２５，１５０，１５０−１〜１５０−Ｎ  接続線、１２６  マッチング回路、１２７  出力アンプ、１３５  バッファ、１２８  受信アンプ、１２９  チャンネル切換部、１３０，１３０−１〜１３０−Ｎ  受信部、１３１  通信部、１３２  信号出力部、１３３  ＬＥＤ駆動部、１３４  復調部、１４０，１４０−１〜１４０−Ｎ  アダプタ、１７０  接続ケーブル、２００  配線ケーブル、２１０  コネクタ、２２０  爪部、２３０  ケーブル部、２４０  カバー部、２５０  接点部、２６０，２６０Ａ  ＩＣタグ、３００  配線管理装置、３１０  表示部、３２０  操作部、３３０  制御部、３３１  通信部、３３２  ＬＥＤ制御部、３３３  データベース、３３４  判定部、３３５  表示制御部。
【図１】
2012044518.tif 000003
【図２】
2012044518.tif 000004
【図３】
2012044518.tif 000005
【図４】
2012044518.tif 000006
【図５】
2012044518.tif 000007
【図６】
2012044518.tif 000008
【図７】
2012044518.tif 000009
【図８】
2012044518.tif 000010
【図９】
2012044518.tif 000011
【図１０】
2012044518.tif 000012
【図１１】
2012044518.tif 000013
【図１２】
2012044518.tif 000014
【図１３】
2012044518.tif 000015